(57)【要約】【課題】  実在歯及び／または残存歯のために意図されたテンプレートの正しい位置への適合を容易にするための装置と方法を提供する。【解決手段】  テンプレートが実在歯及び／または残存歯部の特徴的部分を出現可能とする開口または凹所を配置されており、テンプレートが実在歯及び／または残存歯部に適合されるとき、その正しい位置が、実在歯及び／または残存歯部の特徴的部分がこれらの対応する開口または凹所から出現して可視表示を形成することにより獲得される。【選択図】  図１
2008508932.tif 000002
【特許請求の範囲】
【請求項１】
実在歯及び／または残存歯のために意図されたテンプレートの正しい位置への適合を容易にするための装置において、テンプレートの構造がシミュレーション装置、例えば石膏模型、コンピュータ等から得られる冒された歯及び／または残存歯部の形状に関連付けられること、テンプレートが、形状の特徴的部分が出現する開口または凹所を配置されていること、及びテンプレートが実在歯及び／または残存歯部に適合されるとき、その正しい位置が、実在歯及び／または残存歯部の特徴的部分が対応して開口または凹所を通して出現して正しい位置の可視表示を形成する場合に、獲得されることを特徴とする装置。
【請求項２】
凹所及び特徴的部分の数が合計で３またはそれ以上であることを特徴とする請求項１に記載の装置。
【請求項３】
凹所及び特徴的部分の数が合計で４であることを特徴とする請求項１または２に記載の装置。
【請求項４】
凹所が主としてテンプレートの上面または上方部に配置されていることを特徴とする請求項１，２または３に記載の装置。
【請求項５】
模型上または画像内のテンプレートの位置が実在歯及び／または残存歯部上のテンプレートの位置と比較できることを特徴とする請求項１−４のいずれかに記載の装置。
【請求項６】
実在歯及び／または残存歯部のために意図されたテンプレートの正しい位置への適合を容易にする方法において、実在歯及び／または残存歯部の模型及び／または画像が模型化及び／または画像化装置により作られること、所望によりテンプレートが模型または画像の助けにより作られること、テンプレートが所望により模型または画像により再現される歯及び／または残存歯部の部分の特徴的部分、例えば突起及び／または突出部に開口または凹所を与えられていること、及びテンプレートが実在歯及び／または残存歯部に適合され、開口または凹所を通して出現する特徴的部分が正しい位置の可視表示を与えることを特徴とする方法。
【請求項７】
テンプレートが特徴的部分の対応する数のための三つまたはそれ以上の凹所を構成されていることを特徴とする請求項６に記載の方法。
【請求項８】
実在歯及び／または残存歯部上のテンプレートの位置が所望により模型上または画像内のテンプレートの位置と比較されることを特徴とする請求項６または７に記載の方法。
【請求項９】
テンプレートがその上方部または上面上に凹所を構成されていることを特徴とする請求項６，７または８に記載の方法。
【請求項１０】
テンプレートが適合時にテンプレートの凹所と特徴的部分の間の相互作用により誘導機能を与えられることを特徴とする請求項６−９のいずれかに記載の方法。
【発明の詳細な説明】
【技術分野】
【０００１】
本発明は、実在歯及び／または残存歯のために意図されたテンプレートの正しい位置への適合を容易にするための装置と方法に関する。
【背景技術】
【０００２】
この種のテンプレートは歯科作業で使用され、歯／残存歯の上またはそれの近くの冒された場所及び歯／残存歯の近くの空間の患者の口腔中に置かれる。テンプレートは案内套管を含むことができ、それらによりドリル及び他の装置が、例えばインプラントのための取込み穴で、案内される。患者の口腔内の位置にかかわりなくテンプレートを明確な方式で使用することができるべきである。しかし、適合が実施困難である場合があり、それがテンプレートを間違った位置に至らせることに導きうる。従って、テンプレートに対し明確な適合位置を獲得することができかつこれについての表示を得ることができるための要求がある。本発明はこの問題を解決する。
【発明の開示】
【０００３】
本発明による装置を特徴付けるものとして主に考えられることができることは特に、テンプレートの構造がシミュレーション装置、例えば石膏模型、コンピュータ等から得られる冒された歯及び／または残存歯部の形状に関連することである。テンプレートは更に、形状の特徴的部分が現れる開口または凹所を配置されることができる。テンプレートが実在歯及び／または残存歯部に適合されるとき、その正しい位置が、実在歯及び／または残存歯部の特徴的部分が対応して開口または凹所を通して出現して正しい位置の可視表示を形成する場合に、獲得される。テンプレートのための誘導機能（ｈｏｍｅ−ｉｎ  ｆｕｎｃｔｉｏｎ）もまた、発生する。
【０００４】
新しい装置に対する本発明の更なる展開は添付請求項から明らかである。
【０００５】
本発明による方法は特に、実在歯及び／または残存歯部の模型及び／または画像が模型化及び／または画像化装置により作られること、及びテンプレートが所望により模型または画像の助けにより作られることにより特徴付けられる。テンプレートは更に、所望により模型または画像により再現される歯及び／または残存歯部の部分の特徴的部分、例えば突起及び／または突出部に開口または凹所を与えられる。テンプレートは最終的に実在歯及び／または残存歯部に適合されることができ、開口または凹所を通して出現する特徴的部分が正しい位置の可視表示を与える。
【０００６】
新しい方法に対する本発明の更なる展開は添付請求項から明らかである。
【０００７】
上に提案されたことを通して、テンプレートに対し明確な位置が容易に達成されることができる。可視表示はテンプレートに対し正しい最終位置を決定するための特別な装置に対する要求を排除する。通常の製造技術をテンプレートのために使用することができ、このテンプレートは好ましくはその上部に凹所を与えられることが必要なだけである。
【発明を実施するための最良の形態】
【０００８】
本発明の提案される装置と方法は添付図面を同時参照して以下に説明されるであろう。図面において
図１は患者の口腔の石膏模型に適合されたテンプレートを透視法で示し、
図２は概略図形で画像上のテンプレートの位置を示し、そして
図３は図１及び２によるテンプレート、及び患者の口腔内のそれらの配列を透視法で示す。
【０００９】
図１には患者の口腔の石膏模型の部分が２として示されている。石膏模型は歯及び／または残存歯部３，４，５，６及び７を示す。前記歯及び／または歯部上にテンプレート、例えば外科用テンプレートが適合されている。このテンプレートはドリル（図示せず）のための套管または案内部材（明確には示されていない）を構成されており、このドリルにより既知の態様で下顎９内に取込み穴が作られるであろう。その上部にテンプレートは貫通凹所１０，１１，１２及び１３を与えられている。歯及び／または残存歯部からの特徴的部分１４，１５，１６及び１７はこれらを通して出現する。テンプレートは既知の態様で製造されることができる。
【００１０】
図２では画像１８がコンピュータ／コンピュータスクリーン１９上に生成されている。この場合、テンプレートは２０として示され、下顎は２１として示されている。その上面にテンプレートは三つの貫通凹所２２，２３及び２４を備えており、そこに特徴的部分２５，２６及び２７が出現する（図１参照）。歯及び／または残存歯部はこの場合示されていない。画像の生成は既知のソフトウエアにより実施されることができる。テンプレートは既知の態様でコンピュータからの情報により製造されることができる。
【００１１】
図３に示されるように、完成したテンプレート２８及び２９は患者の口腔３０内に適合されるだろう。所望により特徴的部分１４，１５，１６及び１７、または２５，２６及び２７が対応テンプレート内に、凹所１０，１１，１２及び１３、または２２，２３及び２４を通して同じ方式で出現するだろう。対応テンプレート２８及び２９は特徴的部分により容易化された誘導機能を与えられ、この特徴的部分はさらに、模型、画像等と比較することにより誘導された位置が正しいという事実の可視表示を与える。
【００１２】
本発明は示された実施態様に限定されず、請求項及び本発明の範囲内で変更されることができる。
【図面の簡単な説明】
【００１３】
【図１】患者の口腔の石膏模型に適合されたテンプレートを透視法で示す。
【図２】概略図形で画像上のテンプレートの位置を示す。
【図３】図１及び２によるテンプレート、及び患者の口腔内のそれらの配列を透視法で示す。
【図１】
2008508932.tif 000003
【図２】
2008508932.tif 000004
【図３】
2008508932.tif 000005
【国際調査報告】
2008508932.tif 000006
2008508932.tif 000007
2008508932.tif 000008
2008508932.tif 000009